【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
コンテンツデータを再生可能な携帯型再生装置から，当該携帯型再生装置における前記コンテンツデータの再生履歴情報を取得する取得部と；
前記取得部により取得された前記再生履歴情報に基づいて，前記コンテンツデータに対応する演算評価値を演算する評価値演算部と；
前記評価値演算部により演算された前記演算評価値を，前記携帯型再生装置に転送する転送部と；
を備えることを特徴とする，情報処理装置。
【請求項２】
１又は２以上のコンテンツデータを記憶するコンテンツ記憶部と；
前記コンテンツ記憶部に記憶されているコンテンツデータを再生する再生部と；
前記再生部による前記コンテンツデータの再生履歴情報を生成する再生履歴生成部と；
前記評価値演算部により演算された前記演算評価値を，前記コンテンツデータに関連付けて評価値記憶部に記録する評価値記録部と；
をさらに備え，
前記評価値演算部は，前記取得部により取得された前記携帯型再生装置における前記再生履歴情報と，前記再生履歴生成部により生成された前記再生履歴情報とに基づいて，前記コンテンツデータに対応する前記演算評価値を演算することを特徴とする，請求項１に記載の情報処理装置。
【請求項３】
前記評価値演算部による評価値演算を許可する前記携帯型再生装置のデバイスＩＤを記憶する登録ＩＤ記憶部；
をさらに備え，
前記取得部は，前記携帯型再生装置における前記コンテンツデータの再生履歴情報と共に当該携帯型再生装置のデバイスＩＤを取得し，
前記評価値演算部は，前記登録ＩＤ記憶部に記憶されているデバイスＩＤと，前記取得されたデバイスＩＤとが一致するときのみ，前記演算評価値の演算を行うことを特徴とする，請求項１に記載の情報処理装置。
【請求項４】
前記情報処理装置及び／又は前記携帯型再生装置をグループ管理サーバに登録することによりユーザ単位で生成されるグループＩＤが前記グループ管理サーバにより付与され，当該グループＩＤは前記情報処理装置及び／又は前記携帯型再生装置に記憶されており，
前記取得部は，前記携帯型再生装置における前記コンテンツデータの再生履歴情報と共に当該携帯型再生装置に記憶されているグループＩＤを取得し，
前記評価値演算部は，前記情報処理装置に記憶されているグループＩＤと，前記取得されたグループＩＤとが一致するときのみ，前記演算評価値の演算を行うことを特徴とする，請求項１に記載の情報処理装置。
【請求項５】
ユーザ入力に基づき，前記コンテンツ記憶部に記憶されているコンテンツデータに対応する入力評価値を設定する評価値入力部と；
前記評価値演算部により演算された前記演算評価値と，前記評価値入力部により設定された入力評価値とを，前記コンテンツデータに関連づけて評価値記憶部に記録する評価値記録部と；
をさらに備え，
前記転送部は，前記評価値記憶部に記憶された前記演算評価値及び前記入力評価値を，前記携帯型再生装置に転送することを特徴とする，請求項１に記載の情報処理装置。
【請求項６】
１又は２以上のコンテンツデータを記憶するコンテンツ記憶部と；
前記コンテンツ記憶部に記憶されているコンテンツデータを再生する再生部と；
をさらに備え，
前記評価値演算部は，前記再生部により前記コンテンツデータが再生開始される度に，当該コンテンツデータの評価が高くなるように前記演算評価値を演算することを特徴とする，請求項１に記載の情報処理装置。
【請求項７】
前記評価値演算部は，前記コンテンツデータの再生履歴情報に基づいて，前記コンテンツデータの継続再生時間を算出し，継続再生時間が特定時間以上であるコンテンツデータの評価が高くなるように前記演算評価値を演算することを特徴とする，請求項１に記載の情報処理装置。
【請求項８】
前記評価値演算部は，前記コンテンツデータの再生履歴情報に基づいて，１のコンテンツデータの再生が開始されてから特定時間以内に他のコンテンツデータの再生に切り替えられたことを検出すると，当該１のコンテンツデータの評価が低くなるように前記演算評価値を更新することを特徴とする，請求項１に記載の情報処理装置。
【請求項９】
前記評価値演算部は，前記コンテンツデータの再生履歴情報に基づいて，前記コンテンツデータの継続再生時間を算出し，継続再生時間が特定時間以下であるコンテンツデータの評価が低くなるように前記演算評価値を演算することを特徴とする，請求項１に記載の情報処理装置。
【請求項１０】
前記取得部は，前記携帯型再生装置から，当該携帯型再生装置において削除指示された１又は２以上のコンテンツデータに対応するコンテンツ識別情報を取得し，
前記評価値演算部は，前記取得部により取得されたコンテンツ識別情報に対応するコンテンツデータの評価が低くなるように前記演算評価値を演算することを特徴とする，請求項１に記載の情報処理装置。
【請求項１１】
１又は２以上のコンテンツデータを記憶するコンテンツ記憶部と；
前記コンテンツ記憶部に記憶されているコンテンツデータを再生する再生部と；
ユーザ入力に基づき，前記コンテンツ記憶部に記憶されているコンテンツデータに対応する入力評価値を設定する評価値入力部と；
前記取得部により前記携帯型再生装置から取得された前記再生履歴情報に対応するコンテンツデータが前記コンテンツ記憶部にも記憶されている場合に，前記評価値演算部により演算された当該コンテンツデータの前記演算評価値と，前記評価値入力部により設定された当該コンテンツデータの入力評価値とを，当該コンテンツデータに関連づけて評価値記憶部に記録する評価値記録部と；
をさらに備えることを特徴とする，請求項１に記載の情報処理装置。
【請求項１２】
前記携帯型再生装置が前記情報処理装置に接続されたことを検知する接続検知部；
をさらに備え，
前記接続検知部により前記携帯型再生装置が接続されたことが検知されると，前記取得部は，前記携帯型再生装置から，当該携帯型再生装置における前記コンテンツデータの再生履歴情報を取得し，前記評価値演算部は，前記取得部により取得された前記携帯型再生装置における前記コンテンツデータの再生履歴情報に基づいて，前記コンテンツデータに対応する前記演算評価値を演算し，前記転送部は，前記評価値演算部により演算された前記演算評価値を，前記携帯型再生装置に転送することを特徴とする，請求項１に記載の情報処理装置。
【請求項１３】
前記評価値演算部により，前記携帯型再生装置における前記コンテンツデータの再生履歴情報に基づいて演算された前記演算評価値が，前記転送部により，前記携帯型再生装置に転送された後に，前記携帯型再生装置に対し，前記携帯型再生装置に記憶されている前記再生履歴情報を削除するよう指示することを特徴とする，請求項１に記載の情報処理装置。
【請求項１４】
前記携帯型再生装置に記憶されているコンテンツデータと同一のコンテンツデータを含む複数のコンテンツデータを記憶するコンテンツ記憶部と；
前記複数のコンテンツデータに対応するコンテンツ識別情報のリストを生成する検索リスト生成部と；
前記評価値演算部により演算された前記演算評価値を前記コンテンツデータに関連付けて評価値記憶部に記録する評価値記録部と；
をさらに備え，
前記検索リスト生成部は，前記評価値記憶部に記憶されている前記演算評価値に応じて，前記複数のコンテンツ識別情報をソートしたリストを生成することを特徴とする，請求項１に記載の情報処理装置。
【請求項１５】
１又は２以上のコンテンツデータを記憶するコンテンツ記憶部と；
前記コンテンツ記憶部に記憶されているコンテンツデータの一部又は全部を前記転送部により前記携帯型再生装置に転送する際に，前記携帯型再生装置に対応する記憶媒体に記憶されているコンテンツの一部を，当該コンテンツデータの前記演算評価値に応じて削除するコンテンツ削除部を更に備え，
前記転送部は，前記コンテンツ削除部による前記コンテンツデータの削除後に，前記転送されるべきコンテンツデータを前記携帯型再生装置に転送することを特徴とする，請求項１に記載の情報処理装置。
【請求項１６】
１又は２以上のコンテンツデータを記憶するコンテンツ記憶部と；
前記コンテンツ記憶部に記憶されているコンテンツデータを再生する再生部と；
前記再生部による前記コンテンツデータの再生履歴情報を生成し，再生履歴記憶部に記録する再生履歴生成部と；
外部装置からの要求に応じて，前記再生履歴記憶部に記録された前記再生履歴情報を前記外部装置に転送する転送部と；
前記外部装置により少なくとも前記再生履歴情報に基づき演算された前記コンテンツデータの演算評価値を取得する取得部と；
前記取得部により取得された前記演算評価値を，前記コンテンツデータに関連付けて評価値記憶部に記録する評価値記録部と；
を備えることを特徴とする，再生装置。
【請求項１７】
コンテンツデータを再生可能な携帯型再生装置と通信可能な情報処理装置における通信方法であって：
前記携帯型再生装置から，当該携帯型再生装置における前記コンテンツデータの再生履歴情報を取得する取得ステップと；
前記取得ステップで取得された前記再生履歴情報に基づいて，前記コンテンツデータに対応する演算評価値を演算する評価値演算ステップと；
前記評価値演算ステップで演算された前記演算評価値を前記携帯型再生装置に転送する転送ステップと；
を含むことを特徴とする，通信方法。
【請求項１８】
外部装置と通信可能な再生装置における通信方法であって：
コンテンツ記憶部に記憶されている１又は２以上のコンテンツデータを再生する再生ステップと；
前記再生ステップにおける前記コンテンツデータの再生履歴情報を生成して，再生履歴記憶部に記録する再生履歴生成ステップと；
前記外部装置からの要求に応じて，前記再生履歴記憶部に記録された前記再生履歴情報を前記外部装置に転送する転送ステップと；
前記外部装置により少なくとも前記再生履歴情報に基づき演算された前記コンテンツデータの演算評価値を，前記外部装置から取得する取得ステップと；
前記取得ステップで取得された前記演算評価値を，前記コンテンツデータに関連付けて評価値記憶部に記録する評価値記録ステップと；
を含むことを特徴とする，通信方法。
【請求項１９】
コンテンツデータを再生可能な携帯型再生装置と通信可能な情報処理装置に：
前記携帯型再生装置から，当該携帯型再生装置における前記コンテンツデータの再生履歴情報を取得する取得処理と；
前記取得処理で取得された前記再生履歴情報に基づいて，前記コンテンツデータに対応する演算評価値を演算する評価値演算処理と；
前記評価値演算処理で演算された前記演算評価値を前記携帯型再生装置に転送する転送処理と；
を実行させることを特徴とする，コンピュータプログラム。
【請求項２０】
外部装置と通信可能な再生装置に：
コンテンツ記憶部に記憶されている１又は２以上のコンテンツデータを再生する再生処理と；
前記再生処理における前記コンテンツデータの再生履歴情報を生成して，再生履歴記憶部に記録する再生履歴生成処理と；
前記外部装置からの要求に応じて，前記再生履歴記憶部に記録された前記再生履歴情報を前記外部装置に転送する転送処理と；
前記外部装置により少なくとも前記再生履歴情報に基づき演算された前記コンテンツデータの演算評価値を，前記外部装置から取得する取得処理と；
前記取得処理で取得された前記演算評価値を，前記コンテンツデータに関連付けて評価値記憶部に記録する評価値記録処理と；
を実行させることを特徴とする，コンピュータプログラム。